Podtech/llm-jp-corpus-v4-ja_patent huggingface dataset:
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体と、前記可動表示体を複数備えた図柄変動表示装置、前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄変動表示装置に１回のゲームの結果を表示する遊技機において、
１回のゲームごとに予め決められた複数の遊技特典の中からいずれかの遊技特典を選び出す内部抽選を行う内部抽選手段と、
前記遊技特典を付与する契機となる所定の表示態様が前記図柄表示部に表示されているか否かを判定する表示態様判定手段と、
前記表示態様判定手段により前記所定の表示態様が表示されていると判定された場合、当該遊技特典を付与する遊技特典付与手段と、
複数のゲームにわたり遊技価値の付与機会を増加させる付与機会増加手段と、
前記複数の遊技特典として、前記付与機会増加手段による遊技価値の付与機会が増加される２つの特別特典を少なくとも有し、
前記内部抽選の抽選結果として前記特別特典が選び出された場合、当該特別特典を付与する契機となる特定の表示態様が前記図柄表示部に表示されるまで当該遊技特典が選び出された状態を継続させる既選出特別特典持越手段と、
前記既選出特別特典持越手段により前記２つの特別特典のうち、いずれか一方の特別特典が選び出された状態が継続している既選出特別特典持越状態では、前記既選出特別特典とは別の前記特別特典を含む全ての遊技特典を抽選対象として前記内部抽選を実行させる抽選対象決定手段とを具備した
ことを特徴とする遊技機。
【請求項２】
前記付与機会増加手段は、所定期間に投入される遊技価値の総数に対して付与される遊技価値の総数の割合が低い通常遊技状態に比べて遊技価値の付与機会を増加させて、所定期間に投入される遊技価値の総数に対して付与される遊技価値の総数の割合を高くする
ことを特徴とする請求項１に記載の遊技機。
【請求項３】
前記既選出特別特典持越手段は、前記既選出特別特典持越状態にて前記既選出特別特典とは別の特別特典が内部抽選の抽選結果として選び出された場合、その当該特別特典を付与する契機となる特定の表示態様が前記図柄表示部に表示されるまで当該特別特典をも選び出された状態を継続させる
ことを特徴とする請求項１または請求項２に記載の遊技機。
【手続補正２】
【補正対象書類名】明細書
【補正対象項目名】００２２
【補正方法】変更
【補正の内容】
【００２２】
（解決手段２）
解決手段２は、解決手段１に記載の遊技機において、前記付与機会増加手段は、所定期間に投入される遊技価値の総数に対して付与される遊技価値の総数の割合が低い通常遊技状態に比べて遊技価値の付与機会を増加させて、所定期間に投入される遊技価値の総数に対して付与される遊技価値の総数の割合を高くすることを特徴とする遊技機である。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
複数の画像表示装置と、
前記複数の画像表示装置が接続され得る画像転送装置とを備える画像転送システムであって、
前記画像転送装置は、
複数のコンテンツを表示可能な表示器と、
前記表示器に表示されている複数のコンテンツの中から一のコンテンツを選択するための選択部と、
前記選択されたコンテンツを表示する画像表示装置を指定する指定部と、
前記表示器に少なくとも一部が表示されている各コンテンツの表示用画像データを生成する表示用画像データ生成部と、
記憶装置と、
接続されている各前記画像表示装置と、前記生成された各表示用画像データとを対応付けて前記記憶装置に格納する格納制御部であって、前記表示器上に表示されているコンテンツの数に応じた、前記表示用画像データを格納するための記憶領域を、前記接続されている画像表示装置の配置に対応して前記記憶装置に確保し、前記選択されたコンテンツに対応する表示用画像データと前記指定された画像表示装置とを対応付けて前記記憶装置に格納し、前記表示用画像データの容量が前記記憶領域の容量を超える場合には、前記表示用画像データを、隣接する前記画像表示装置に対応する複数の記憶領域に格納する格納制御部と、
前記各画像表示装置に対して、対応付けられている前記各表示用画像データを転送する転送部とを備え、
前記画像表示装置は、
前記画像転送装置から前記表示用画像データを受信する受信部と、
前記受信部で受信した前記表示用画像データに基づいて、画像を表示する表示部とを備える、
画像転送システム。
【請求項２】
請求項１に記載の画像転送システムにおいて、
前記画像転送装置はさらに、
前記コンテンツの数に応じた前記表示用画像データを格納するための記憶領域において前記表示用画像データに対する画像処理を実行する画像処理部を備える画像転送装置。
【請求項３】
請求項１または２に記載の画像転送システムにおいて、
前記格納制御部は、前記接続されている画像表示装置の数に応じた、前記表示用画像データを格納するための記憶領域を前記記憶装置に確保する画像転送システム。
【請求項４】
請求項３に記載の画像転送システムにおいて、
前記画像転送装置はさらに、
前記画像表示装置の数に応じた前記表示用画像データを格納するための記憶領域において前記表示用画像データに対する画像処理を実行する画像処理部を備える画像転送システム。
【請求項５】
請求項１から請求項４のいずれかに記載の画像転送システムにおいて、
前記格納制御部は、前記表示器の解像度に対応して前記記憶領域を前記記憶装置に確保する画像転送システム。
【請求項６】
請求項１から請求項４のいずれかに記載の画像転送システムにおいて、
前記格納制御部は、前記画像表示装置の解像度に対応して前記記憶領域を前記記憶装置に確保する画像転送システム。
【請求項７】
請求項３から請求項６のいずれかに記載の画像転送システムにおいて、
前記画像転送装置はさらに、
接続されている画像表示装置に関する情報を管理する管理部を備え、
前記格納制御部は前記管理部から、前記接続されている画像表示装置の数に関する情報を取得する画像転送装置。
【請求項８】
複数の画像表示装置と、前記複数の画像表示装置が接続され得る画像転送装置を備える画像転送システムにおける画像転送方法であって、
前記画像表示装置が、
表示器に表示されている複数のコンテンツの中から選択された一のコンテンツを表示する画像表示装置を前記複数の画像表示装置の中から指定し、
前記表示器に少なくとも一部が表示されている各コンテンツの表示用画像データを生成し、
前記表示器上に表示されているコンテンツの数に応じた、前記表示用画像データを格納するための記憶領域を、接続されている画像表示装置の配置に対応して記憶装置に確保し、
前記選択されたコンテンツに対応する表示用画像データと前記指定された画像表示装置とを対応付けて前記記憶装置に格納し、
前記表示用画像データの容量が前記記憶領域の容量を超える場合には、前記表示用画像データを、隣接する前記画像表示装置に対応する複数の記憶領域に格納し、
前記各画像表示装置に対して、対応付けられている前記各表示用画像データを転送し、
前記画像表示装置が、
前記画像転送装置から前記表示用画像データを受信し、
前記受信部で受信した前記表示用画像データに基づいて、画像を表示する、
画像転送方法。  
【手続補正２】
【補正対象書類名】明細書
【補正対象項目名】発明の名称
【補正方法】変更
【補正の内容】
【発明の名称】画像転送システムおよび画像転送システムにおける画像転送方法
【手続補正３】
【補正対象書類名】明細書
【補正対象項目名】０００１
【補正方法】変更
【補正の内容】
【０００１】
本発明は、  画像転送システムおよび画像転送システムにおける画像転送方法に関する。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
凹凸パターンを有するモールドを用いて、基板上にパターンを転写するパターン転写方法であって、
未硬化状態の樹脂を前記基板上に同量ずつ分散させて滴下する工程と、
前記樹脂と前記モールドを接触させ、前記樹脂を硬化させる工程と、を有し、
前記樹脂は、複数の直線上に滴下され、
前記樹脂は、各直線上で、段々広くなる間隔で、連続的に滴下され、
前記複数の直線は、互いに離間されるとともに互いに平行であり、
前記間隔は、前記樹脂の蒸発量に基づいて、調整されることを特徴とするパターン転写方法。
【請求項２】
前記間隔は、前記モールドの凹凸形状の粗密、前記モールドの凹凸形状の深さおよび前記基板の歪みのうち少なくとも１つに基づいて、再調整されることを特徴とする請求項１に記載のパターン転写方法。
【請求項３】
前記樹脂を第１直線上に滴下した後に第２直線上に滴下したとき、前記第２直線上における最初の間隔は、前記第１直線上における最後の間隔よりも、広いことを特徴とする請求項１または請求項２に記載のパターン転写方法。
【請求項４】
前記複数の直線間の間隔も、前記樹脂の蒸発量に基づいて調整されることを特徴とする請求項１〜３のいずれか１項に記載のパターン転写方法。
【請求項５】
凹凸パターンを有するモールドを用いて、基板上にパターンを転写するパターン転写装置であって、
未硬化状態の樹脂を前記基板上に同量ずつ分散させて滴下する滴下手段と、
前記樹脂と前記モールドを接触させる手段と、
前記樹脂を硬化させる手段と、を備え、
前記滴下手段は、複数の直線上に前記樹脂を滴下するとともに、各直線上で、段々広くなる間隔で、連続的に前記樹脂を滴下し、
前記複数の直線は、互いに離間されるとともに互いに平行であり、
前記間隔は、前記樹脂の蒸発量に基づいて、調整されることを特徴とするパターン転写装置。
【手続補正２】
【補正対象書類名】明細書
【補正対象項目名】０００８
【補正方法】変更
【補正の内容】
【０００８】
本発明は上記課題を解決するために、次の（１）から（５）のように構成した、パターン転写方法及びパターン転写装置を提供するものである。
（１）凹凸パターンを有するモールドを用いて、基板上にパターンを転写するパターン転写方法であって、
未硬化状態の樹脂を前記基板上に同量ずつ分散させて滴下する工程と、
前記樹脂と前記モールドを接触させ、前記樹脂を硬化させる工程と、を有し、
前記樹脂は、複数の直線上に滴下され、
前記樹脂は、各直線上で、段々広くなる間隔で、連続的に滴下され、
前記複数の直線は、互いに離間されるとともに互いに平行であり、
前記間隔は、前記樹脂の蒸発量に基づいて、調整されることを特徴とするパターン転写方法。
（２）前記間隔は、前記モールドの凹凸形状の粗密、前記モールドの凹凸形状の深さおよび前記基板の歪みのうち少なくとも１つに基づいて、再調整されることを特徴とする上記（１）に記載のパターン転写方法。
（３）前記樹脂を第１直線上に滴下した後に第２直線上に滴下したとき、前記第２直線上における最初の間隔は、前記第１直線上における最後の間隔よりも、広いことを特徴とする上記（１）または上記（２）に記載のパターン転写方法。
（４）前記複数の直線間の間隔も、前記樹脂の蒸発量に基づいて調整されることを特徴とする上記（１）〜（３）のいずれかに記載のパターン転写方法。
（５）凹凸パターンを有するモールドを用いて、基板上にパターンを転写するパターン転写装置であって、
未硬化状態の樹脂を前記基板上に同量ずつ分散させて滴下する滴下手段と、
前記樹脂と前記モールドを接触させる手段と、
前記樹脂を硬化させる手段と、を備え、
前記滴下手段は、複数の直線上に前記樹脂を滴下するとともに、各直線上で、段々広くなる間隔で、連続的に前記樹脂を滴下し、
前記複数の直線は、互いに離間されるとともに互いに平行であり、
前記間隔は、前記樹脂の蒸発量に基づいて、調整されることを特徴とするパターン転写装置。
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
天然食品素材及びエンテロコッカス・フェカリス（Ｅnterococcus faecalis）死菌体、ラクトバチルス・ロイテリ（Ｌactobacillus  leuteri）死菌体の一方又は両方を有効成分とする腸内菌叢改善組成物。
【請求項２】
根昆布及びエンテロコッカス・フェカリス（Ｅnterococcus faecalis）AD101（FERM P-20739）の死菌体、ラクトバチルス・ロイテリ（Ｌactobacillus  leuteri）AD302（FERM P-20741）の死菌体の一方又は両方を有効成分とする請求項１に記載の腸内菌叢改善組成物。
【請求項３】
ホエー及びエンテロコッカス・フェカリス（Ｅnterococcus faecalis）AD101（FERM P-20739）の死菌体、ラクトバチルス・ロイテリ（Ｌactobacillus  leuteri）AD302（FERM P-20741）の死菌体の一方又は両方を有効成分とする請求項１に記載の腸内菌叢改善組成物。
【請求項４】
アヤムラサキ、還元麦芽糖水飴、蜂蜜、バナナ、リンゴ、オレンジ果汁、ドロマイト、きな粉、無臭ニンニクエキス、アスパラガス、トマト、ニンジン、ホウレン草、ゴボウ、椎茸、アロエ、イチョウ葉エキス、緑茶成分、コラーゲンペプチド、牡蠣肉エキス、寒天、コロハから選ばれた１乃至複数の天然食品素材を更に含む請求項２、３に記載の腸内菌叢改善組成物。
【請求項５】
ビフィドバクテリウムの増殖促進およびクロストリジウムの増殖阻止する請求項１、２、３に記載の腸内細菌叢改善組成物。
【手続補正２】
【補正対象書類名】明細書
【補正対象項目名】０００６
【補正方法】変更
【補正の内容】
【０００６】
上記に鑑み本発明者らは、鋭意研究の結果、驚くべきことにバナナ、リンゴ、オレンジ果汁、還元麦芽糖水飴、ドロマイト、蜂蜜、きな粉、根昆布、アヤムラサキ、ホエー、無臭ニンニクエキス、アスパラガス、トマト、ニンジン、ホウレン草、ゴボウ、椎茸、アロエ、イチョウ葉エキス、緑茶成分、コラーゲンペプチド、牡蠣肉エキス、寒天、コロハ等から選ばれた1乃至複数の食品素材にエンテロコッカス・フェカリス（Ｅnterococcus faecalis）、ラクトバチルス・ロイテリ（Ｌactobacillus  leuteri）の一方または両方の死菌体を組み合わせることで、より有害菌の低減と有用菌の増加を図ることを知見し本発明に到達したものである。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
インクの供給口を備える基板と、前記供給口から供給されるインクを吐出する吐出口と、前記供給口と前記吐出口とを連通する流路部と、を備えるインクジェット記録ヘッドであって、
前記流路部は、前記基板の面に接して形成された第一流路と、該第一流路の前記基板の面とは反対側に該第一流路に沿って形成された第二流路とを有し、かつ、該流路部をインクが流れる方向に関して交差する方向に沿った断面において該方向の流路幅が前記第一流路と前記第二流路とで異なる流路部を含むことを特徴とするインクジェット記録ヘッド。
【請求項２】
前記第一流路の前記流路幅より、前記第二流路の前記流路幅が広いことを特徴とする請求項１に記載のインクジェット記録ヘッド。
【請求項３】
前記第一流路の前記流路幅より、前記第二流路の前記流路幅が狭いことを特徴とする請求項１に記載のインクジェット記録ヘッド。
【請求項４】
前記第一流路の前記流路幅より前記第二流路の前記流路幅が広い流路部と、
前記第一流路の前記流路幅より前記第二流路の前記流路幅が狭い流路部と、が前記吐出口の配列方向において交互に配されることを特徴とする請求項１に記載のインクジェット記録ヘッド。
【請求項５】
前記第一流路の前記流路幅と前記第二流路の前記流路幅とが異なる流路部と、
前記第一流路の前記流路幅と前記第二流路の前記流路幅とが等しい流路部と、が前記吐出口の配列方向において交互に配されることを特徴とする請求項１乃至３のいずれかに記載のインクジェット記録ヘッド。
【請求項６】
長さが異なる複数の流路部を有し、
相対的に長い流路部は、前記第一流路の前記流路幅より、前記第二流路の前記流路幅が広く、
相対的に短い流路部は、前記第一流路の前記流路幅より、前記第二流路の前記流路が狭く、
前記相対的に長い流路部と、前記相対的に短い流路部と、が前記吐出口の配列方向において交互に配されることを特徴とする請求項１乃至３のいずれかに記載のインクジェット記録ヘッド。
【請求項７】
前記吐出口は開口面積が異なる複数の吐出口からなり、
相対的に開口面積が大きい吐出口に連通する流路部は、前記第一流路の前記流路幅より、前記第二流路の前記流路幅が広く、
相対的に開口面積が小さい吐出口に連通する流路部は、前記第一流路の前記流路幅より、前記第二流路の前記流路幅が狭く、
前記開口面積が相対的に大きい吐出口に連通する流路部と、前記開口面積が相対的に小さい吐出口に連通する流路部と、が前記吐出口の配列方向において交互に配されることを特徴とする請求項１乃至３のいずれかに記載のインクジェット記録ヘッド。
【手続補正２】
【補正対象書類名】明細書
【補正対象項目名】０００９
【補正方法】変更
【補正の内容】
【０００９】
本発明のインクジェット記録ヘッドは、インクの供給口を備える基板と、前記供給口から供給されるインクを吐出する吐出口と、前記供給口と前記吐出口とを連通する流路部と、を備えるインクジェット記録ヘッドであって、
前記流路部は、前記基板の面に接して形成された第一流路と、該第一流路の前記基板の面とは反対側に該第一流路に沿って形成された第二流路とを有し、かつ、該流路部をインクが流れる方向に関して交差する方向に沿った断面において該方向の流路幅が前記第一流路と前記第二流路とで異なる流路部を含むことを特徴とする。
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
少なくとも１のモノフィラメントヤーン層；
前記少なくとも１のモノフィラメントヤーン層に近接する高弾性率フィルム層；
前記物フィラメントヤーン層と前記高弾性率フィルム層との間に配置された接着剤；及び
前記高弾性率バリヤーフィルム層に近接するメタル化コーティング
を包含する積層材料であって、前記接着剤及び前記高弾性率フィルム層の１以上が補強用繊維又は無機フィラーを含有することを特徴とする、積層材料。
【請求項２】
さらに、メタル化コーティングに近接する実質的に透明なフィルムカバー層を包含し、前記透明なフィルムカバー層は、中−遠赤外線領域における太陽放射線のエミッターとして作用し、及び前記メタル化コーティングは、紫外線、可視線、及び近赤外線領域における太陽放射線を反射して、積層材料における熱の蓄積を最小とする、請求項１記載の積層材料。
【請求項３】
フィルムカバー層が、フッ化ポリビニルデンを含有するものである、請求項２記載の積層材料。
【請求項４】
モノフィラメントヤーン層が、ストレートプレイヤーン層である、請求項１記載の積層材料。
【請求項５】
さらに、第１プレイヤーン層；及び前記第１プレイヤーン層に対して約３０−約６０°の角度で配向する第２プレイヤーン層を包含する、請求項１の積層材料。
【請求項６】
さらに、ヤーン層の間に配置された第１の接着剤を包含する、請求項５記載の積層材料。
【請求項７】
さらに、第２プレイヤーン層と高弾性率フィルム層との間に配置された第２の接着剤を包含する、請求項６記載の積層材料。
【請求項８】
接着剤が、熱可塑性接着剤及び熱硬化性接着剤からなる群から選ばれるものである、請求項１記載の積層材料。
【請求項９】
接着剤が、さらに、補強用繊維又は無機フィラーを含有する、請求項１記載の積層材料。
【請求項１０】
補強用繊維又は無機フィラーが、カーボンブラック、フュームドシリカ、カーボンナノチューブ、カーボンナノファイバー、及びナノクレーからなる群から選ばれるものである、請求項１記載の積層材料。
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
ブローステーションを含むＩ．Ｓ．機械であって、該ブローステーションにおいて、形成済みの口部を有するパリソンが、互いに近づくようにおよび互いから遠ざかるように移動可能な対向した一対のモールド部分を含むブローモールド内で瓶に変形される、Ｉ．Ｓ．機械において、
前記モールド部分を、リモート位置から閉位置へ移動させる開閉機構と、
前記パリソンが前記ブローステーションに配置されたときに作動するように構成される制御手段であって、前記開閉機構を作動させて、前記リモート位置から、選択された分離部がその間にある前記パリソンの周りの割れた位置へと前記モールド部分を移動させる制御手段を備え、
前記分離部は、前記パリソンが、前記割れた位置に配置された前記モールド部分を有する前記ブローモールド内に配置されたときに、前記パリソンが再加熱される間、前記パリソンの前記口部を支持するように、前記制御手段によって制御され、
また、前記制御手段は、その後に前記開閉機構を作動させて、前記パリソンの再加熱の終わりに、前記モールド部分を前記閉位置に移動させるように構成されている、
Ｉ．Ｓ．機械。
【請求項２】
前記制御手段は、前記開閉機構を作動させて、前記モールド部分を、最初に前記開閉機構を作動させて前記モールド部分を前記閉位置に移動させ、次いで前記開閉機構を作動させて前記モールド部分を前記割れた位置に移動させることによって、前記割れた位置に移動させるように構成されている、請求項１に記載のＩ．Ｓ．機械。
【請求項３】
前記制御手段は、前記開閉機構を作動させて、前記モールド部分を、最初に前記開閉機構を作動させて前記モールド部分を前記閉位置に移動させることなく、前記モールド部分を前記割れた位置に直接移動させることによって、前記割れた位置に移動させる、請求項１に記載のＩ．Ｓ．機械。
【請求項４】
前記分離部は、前記パリソンと前記ブローモールドの内面との間における前記ブローモールドの加圧を防ぐのに十分に広い、請求項１に記載のＩ．Ｓ．機械。
【請求項５】
前記分離部は操作者によって調節可能である、請求項１に記載のＩ．Ｓ．機械。
【請求項６】
形成済みの口部を有するパリソンが、互いに近づくようにおよび互いから遠ざかるように移動可能な対向した一対のモールド部分を含むブローモールド内で瓶に変形されるように、Ｉ．Ｓ．機械のブローステーションのブローモールドを動作させる方法であって、
パリソンが前記ブローステーションに置かれたときを判別する工程、
パリソンが前記ブローステーションに置かれたことが判別されたときに、前記モールド部分を、リモート位置から、前記モールド部分の間に選択された分離部が存在する前記パリソンの周りの割れた位置へと移動させる工程、
前記パリソンが、前記割れた位置に配置された前記モールド部分を有する前記ブローモールド内に配置されたときに、前記パリソンが再加熱される間前記パリソンの前記口部を支持するように、前記選択された分離部が選択される工程、及び
前記再加熱の終わりに、前記モールド部分を前記閉位置へ移動させて、前記パリソンを前記閉じたブローモールド内で瓶に吹込み成形する工程、
を含む、方法。
【請求項７】
前記モールド部分は、最初に前記モールド部分を前記リモート位置から前記閉位置へ移動させ、次いで前記モールド部分を前記割れた位置へ移動させることによって、前記割れた位置へ移動される、請求項６に記載の方法。
【請求項８】
前記モールド部分は、最初に前記モールド部分を前記閉位置へ移動させることなく、前記リモート位置から前記割れた位置へ前記モールド部分を直接移動させることによって、前記割れた位置へ移動される、請求項６に記載の方法。
【請求項９】
前記選択された分離部は、前記パリソンと前記ブローモールドの内面との間における前記ブローモールドの加圧を防ぐのに十分に広い、請求項６に記載の方法。
【請求項１０】
前記選択された分離部は操作者によって調節可能である、請求項６に記載の方法。
【手続補正２】
【補正対象書類名】明細書
【補正対象項目名】０００６
【補正方法】変更
【補正の内容】
【０００６】
上記課題を解決するため、本発明は、ブローステーションを含むＩ．Ｓ．機械であって、該ブローステーションにおいて、形成済みの口部を有するパリソンが、互いに近づくようにおよび互いから遠ざかるように移動可能な対向した一対のモールド部分を含むブローモールド内で瓶に変形される、Ｉ．Ｓ．機械において、前記モールド部分を、リモート位置から閉位置へ移動させる開閉機構と、前記パリソンが前記ブローステーションに配置されたときに作動するように構成される制御手段であって、前記開閉機構を作動させて、前記リモート位置から、選択された分離部がその間にある前記パリソンの周りの割れた位置へと前記モールド部分を移動させる制御手段を備え、前記分離部は、前記パリソンが、前記割れた位置に配置された前記モールド部分を有する前記ブローモールド内に配置されたときに、前記パリソンが再加熱される間、前記パリソンの前記口部を支持するように、前記制御手段によって制御され、また、前記制御手段は、その後に前記開閉機構を作動させて、前記パリソンの再加熱の終わりに、前記モールド部分を前記閉位置に移動させるように構成されているＩ．Ｓ．機械を提供するものである。
また、本発明は、形成済みの口部を有するパリソンが、互いに近づくようにおよび互いから遠ざかるように移動可能な対向した一対のモールド部分を含むブローモールド内で瓶に変形されるように、Ｉ．Ｓ．機械のブローステーションのブローモールドを動作させる方法であって、パリソンが前記ブローステーションに置かれたときを判別する工程、
パリソンが前記ブローステーションに置かれたことが判別されたときに、前記モールド部分を、リモート位置から、前記モールド部分の間に選択された分離部が存在する前記パリソンの周りの割れた位置へと移動させる工程、前記パリソンが、前記割れた位置に配置された前記モールド部分を有する前記ブローモールド内に配置されたときに、前記パリソンが再加熱される間前記パリソンの前記口部を支持するように、前記選択された分離部が選択される工程、及び、前記再加熱のおわりに、前記モールド部分を前記閉位置へ移動させて、前記パリソンを前記閉じたブローモールド内で瓶に吹込み成形する工程、を含む、方法を提供するものである。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ＯＦケーブルに供給する油を導入する円筒状の収納ケースと、前記収納ケースに収容されて前記油の油面高さに応じて昇降し、磁力源を備えたフロートと、前記フロートを前記収納ケース内で昇降自在に支持するとともに前記フロートの移動に応じて変化する前記磁力源からの磁場と通電により生じる磁場とに基づいて生じる超音波を伝播させるプローブと、前記プローブの一端に設けられ、前記プローブに生じた前記超音波を検出する検出部とを備えた既設ケーブル油槽用油量センサと、
前記油を貯蔵する油槽に貯蔵された前記油の量を外部から目視可能な油面計と、
前記油面計を前記油槽の外部に接続する第１の配管と、
前記油槽の外部で前記第１の配管から分岐されて前記既設ケーブル油槽用油量センサの前記収納ケースに接続される第２の配管とを有し、前記既設ケーブル油槽用油量センサの前記収納ケースと前記油面計とが並列に配設されていることを特徴とする既設ケーブル油槽用油量センサの取付構造。
【手続補正２】
【補正対象書類名】明細書
【補正対象項目名】発明の名称
【補正方法】変更
【補正の内容】
【発明の名称】既設ケーブル油槽用油量センサの取付構造
【手続補正３】
【補正対象書類名】明細書
【補正対象項目名】０００１
【補正方法】変更
【補正の内容】
【０００１】
本発明は、既設ケーブル油槽用油量センサの取付構造に関し、特に、簡単な構造により遠隔監視用のデータが得られ、既設のＯＦケーブル油槽に簡単に設けることのできる既設ケーブル油槽用油量センサの取付構造に関するものである。
【手続補正４】
【補正対象書類名】明細書
【補正対象項目名】０００９
【補正方法】変更
【補正の内容】
【０００９】
従って、本発明の目的は、簡単な構造により遠隔監視用のデータが得られ、既設のＯＦケーブル油槽に簡単に設けることのできる既設ケーブル油槽用油量センサの取付構造を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明は、上記目的を達成するため、ＯＦケーブルに供給する油を導入する円筒状の収納ケースと、前記収納ケースに収容されて前記油の油面高さに応じて昇降し、磁力源を備えたフロートと、前記フロートを前記収納ケース内で昇降自在に支持するとともに前記フロートの移動に応じて変化する前記磁力源からの磁場と通電により生じる磁場とに基づいて生じる超音波を伝播させるプローブと、前記プローブの一端に設けられ、前記プローブに生じた前記超音波を検出する検出部とを備えた既設ケーブル油槽用油量センサと、前記油を貯蔵する油槽に貯蔵された前記油の量を外部から目視可能な油面計と、前記油面計を前記油槽の外部に接続する第１の配管と、前記油槽の外部で前記第１の配管から分岐されて前記既設ケーブル油槽用油量センサの前記収納ケースに接続される第２の配管とを有し、前記既設ケーブル油槽用油量センサの前記収納ケースと前記油面計とが並列に配設されていることを特徴とする既設ケーブル油槽用油量センサの取付構造を提供する。
【手続補正書】
【提出日】平成22年10月12日(2010.10.12)
【手続補正１】
【補正対象書類名】明細書
【補正対象項目名】００２４
【補正方法】変更
【補正の内容】
【００２４】
なお、本実施形態において、ＣＶＢＳ信号（ａ）と合成させる輪郭補正量（ｈ１）の生成をすべて輪郭成分直線リミッタ補正処理部１００７で行っていたが、処理を分割させても構わない。例えば、信号セレクタを設ける構成が考えられる。図４は、本発明の第１の実施形態に係る輪郭補正回路１１００を示す図である。輪郭補正回路１１００は、図１に示した輪郭補正回路１０００に、さらに信号セレクタ１００８を備えた構成である。輪郭成分補正範囲判定部１００６は、信号セレクタ１００８に信号セレクト情報（ｉ）を通知する。信号セレクト情報（ｉ）は、輪郭成分補正範囲判定部１００６が判定した補正範囲（ｇ）の範囲内と範囲外とにおいて、それぞれ選択すべき信号を通知するための情報である。信号セレクタ１００８は、輪郭成分補正範囲判定部１００６からの信号セレクト情報（ｉ）に基づいて、補正範囲（ｇ）の範囲外であれば輪郭補正量（ｅ）を選択し、補正範囲（ｇ）の範囲内であれば輪郭補正量（ｈ１１）を選択し、輪郭補正量（ｊ１）としてゲインコントローラ１００５に出力する。この場合、輪郭成分直線リミッタ補正処理部１００７は、補正範囲（ｇ）の範囲内においてのみ動作し、輪郭補正量（ｈ１１）を信号セレクタ１００８に出力する。このように、本発明の第１の実施形態に係る輪郭補正回路１１００は、ＣＶＢＳ信号（ａ）と信号セレクタ１００８からの輪郭補正量（ｊ１）とを合成させ、輪郭補正信号（ｋ１）を生成する。従って、輪郭補正回路１１００の構成であっても、輪郭補正回路１０００と同様の効果が得られる。
【手続補正２】
【補正対象書類名】明細書
【補正対象項目名】００３８
【補正方法】変更
【補正の内容】
【００３８】
【図１】本発明の第１の実施形態に係る輪郭補正回路１０００を示す図
【図２】輪郭成分直線リミッタ補正処理部１００７における処理を示す図
【図３】本発明の第１の実施形態に係る輪郭補正回路１０００によって、輪郭補正を行った輪郭補正信号（ｋ１）を示す図
【図４】本発明の第１の実施形態に係る輪郭補正回路１１００を示す図
【図５】映像の垂直１ラインを捉えた矩形波（方形波）を示す図
【図６】図１６（ａ）に示した映像信号の輪郭補正範囲について示す図
【図７】本発明の第２の実施形態に係る輪郭補正回路２０００を示す図
【図８】輪郭成分γ曲線リミッタ補正処理部２００７における処理を示す図
【図９】本発明の第２の実施形態に係る輪郭補正回路２０００によって、輪郭補正を行った輪郭補正信号（ｋ２）を示す図
【図１０】輪郭成分γ曲線リミッタ補正処理部２００７における処理を示す図
【図１１】本発明の第２の実施形態に係る輪郭補正回路２０００によって、輪郭補正を行った輪郭補正信号（ｋ２）を示す図
【図１２】本発明の第３の実施形態に係る輪郭補正回路３０００を示す図
【図１３】輪郭成分平均リミッタ補正処理部３００７における処理を示す図
【図１４】本発明の第３の実施形態に係る輪郭補正回路３０００によって、輪郭補正を行った輪郭補正信号（ｋ３）を示す図
【図１５】従来技術におけるテレビのシステム構成の一例を示す図
【図１６】映像信号波形の一例を示す図
【図１７】従来技術における輪郭補正回路２００を示す図
【図１８】輪郭成分抽出部２０１が、入力されたＣＶＢＳ信号から輪郭成分を抽出する様子を示す図
【図１９】比較器２０２が、閾値を超えない振幅の輪郭成分を削除する様子を示す図
【図２０】輪郭補正量算出部２０３が、輪郭成分の振幅量を増幅している様子を示す図
【図２１】領域抽出部２０４が、輪郭補正を行う対象の領域について、輪郭成分を抽出している様子を示す図
【図２２】従来技術における輪郭補正回路２００によって、輪郭補正を行った輪郭補正信号を示す図
【手続補正３】
【補正対象書類名】図面
【補正対象項目名】図４
【補正方法】変更
【補正の内容】
【図４】
2009219030.tif 000001
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
マルチメディア通信を通信網から選択的に受信し、ユーザーに提示するための装置であって、マルチメディア情報を前記通信網から受信するための第１の装置と情報を通信網に送るための第２の装置とを備え、
前記第１の装置は、
前記マルチメディア情報を、単方向通信システムを使って前記通信網から受信するための手段と、
提示されるべきマルチメディア情報を一時記憶するための記憶手段と、
マルチメディア情報の動的受信及び記憶を制御するエージェントであって、
前記マルチメディア情報の提示に必要なプログラム要素が前記記憶手段に存在するか否かを調べ、存在しない場合には、該必要なプログラム要素のローディングの要求を前記第２の装置に送り、
前記プログラム要素が不要になった段階で、前記プログラム要素が不要になった旨の通知を前記第２の装置に送る、エージェントと、を有し、且つ、
前記第２の装置は、前記要求及び前記通知を、双方向通信システムを使って前記通信網に送るための手段を有することを特徴とする装置。
【請求項２】
前記第１の装置は、前記通信網から前記第２の装置を介してマルチメディア情報を受信するための受信リンクを有することを特徴とする請求項１に記載の装置。
【請求項３】
前記第１の装置は、放送通信の形式のマルチメディア情報を受信するための受信装置を備えることを特徴とする請求項１又は２に記載の装置。
【請求項４】
前記受信装置は、ＤＡＢ受信装置であることを特徴とする請求項３に記載の装置。
【請求項５】
前記受信装置は、ＭＰＥＧ受信装置であることを特徴とする請求項３に記載の装置。
【請求項６】
前記第１の装置は、テレビジョン受信装置であることを特徴とする請求項１ないし５のいずれか１項に記載の装置。
【請求項７】
前記第１の装置は、コンピュータであることを特徴とする請求項１ないし５のいずれか１項に記載の装置。
【請求項８】
前記第２の装置は、デジタルセルラー無線通信網の移動電話であることを特徴とする請求項１ないし７のいずれか１項に記載の装置。
【請求項９】
前記第２の装置は、デジタルコードレス電話であることを特徴とする請求項１ないし７のいずれか１項に記載の装置。
【請求項１０】
前記第２装置は、双方向ページング装置であることを特徴とする請求項１ないし７のいずれか１項に記載の装置。
【請求項１１】
マルチメディア端末装置中の第１の装置として使用されるべき装置であって、通信網からマルチメディア情報を受信するための手段を有しており、
前記マルチメディア情報を、単方向通信システムを使って前記通信網から受信するための手段と、
提示されるべきマルチメディア情報を一時記憶するための記憶手段と、
マルチメディア情報の動的受信及び記憶を制御するエージェントであって、
前記マルチメディア情報の提示に必要なプログラム要素が前記記憶手段に存在するか否かを調べ、存在しない場合には、該必要なプログラム要素のローディングの要求を前記第２の装置に送り、
前記プログラム要素が不要になった段階で、前記プログラム要素が不要になった旨の通知を前記第２の装置に送る、エージェントと、を有することを特徴とする装置。
【請求項１２】
双方向通信システムの端末装置との局地的通信リンクを作るためのインターフェースを有することを特徴とする請求項１１に記載の装置。
【請求項１３】
双方向通信システムの前記端末装置を介して前記通信網からマルチメディア情報を受信するための受信リンクを有することを特徴とする請求項１２に記載の装置。
【請求項１４】
放送通信の形式のマルチメディア情報を受信するための受信装置を有することを特徴とする請求項１２又は１３に記載の装置。
【請求項１５】
前記受信装置は、ＤＡＢ受信装置であることを特徴とする請求項１４に記載の装置。
【請求項１６】
前記受信装置は、ＭＰＥＧ受信装置であることを特徴とする請求項１４に記載の装置。
【請求項１７】
前記装置は、テレビジョン受信装置であることを特徴とする請求項１１ないし１６のいずれか１項に記載の装置。
【請求項１８】
前記装置は、コンピュータであることを特徴とする請求項１１ないし１６のいずれか１項に記載の装置。
【請求項１９】
通信網からマルチメディア表現を選択的に受信して、それをユーザーに提示するための方法において、該方法は、
ユーザーの選択に応じて、該ユーザーの選択が要求している一定のマルチメディア表現に関連するマルチメディア情報が局所的に第１の装置に記憶されているか否かを調べるステップと、
前記ユーザーの選択によって要求され、局所的に記憶されていない一定のマルチメディア表現に関連するマルチメディア情報が該通信網からロードされて局所的に記憶するようにロードするステップと、
マルチメディア情報の動的受信及び記憶を制御するエージェントにより、前記マルチメディア情報の提示に必要なプログラム要素が前記記憶手段に存在するか否かを調べ、存在しない場合には、該必要なプログラム要素のローディングの要求を前記第２の装置を介して、該通信網に送るステップと、
前記ユーザーの選択によって要求され、一定のマルチメディア表現に関連するマルチメディア情報が、該マルチメディア表現をユーザーに提示するために、それが最早不要になったときに局所記憶装置から除去するステップと、
該エージェントにより、前記プログラム要素が不要になった段階で、前記プログラム要素が不要になった旨の通知を前記第２の装置を介して、該通信網に送るステップと、を含むことを特徴とする方法。
【請求項２０】
通信網からマルチメディア情報をロードするためにいろいろなチャネルを比較し、該比較に基づいて、ユーザーの選択によって要求される一定のマルチメディア表現に関連するマルチメディア情報をロードするために最も有利なチャネルを選択することを特徴とする請求項１９に記載の方法。
【請求項２１】
ユーザーが負担するコスト、接続の質、種々の通信網において登録されているユーザーの権利、及びユーザーの計画的な選択、のうちの少なくとも１つの基準を前記の比較において使用することを特徴とする請求項２０に記載の方法。
【請求項２２】
マルチメディア情報の使用に対応する支払い協定に関連する情報を集めて、それを前記通信網に送ることを特徴とする請求項１９ないし２１のうちのいずれか１項に記載の方法。
【手続補正書】
【提出日】平成22年10月4日(2010.10.4)
【手続補正１】
【補正対象書類名】明細書
【補正対象項目名】０００９
【補正方法】変更
【補正の内容】
【０００９】
さらに、第１の記録媒体の再生モードにおいて、第１の記録媒体が非再生中であって、かつ、第２の記録媒体が装着されていることを条件として、第２の記録媒体を再生するための第１のアイコンを表示させる撮像装置もある（例えば、特許文献１）。また、オンスクリーン表示による操作部を設け、当該操作部を記録媒体の種類に応じたものとする再生装置が知られている（例えば、特許文献２）。
【手続補正２】
【補正対象書類名】明細書
【補正対象項目名】００１０
【補正方法】変更
【補正の内容】
【００１０】
【特許文献１】特開２００３−８９４６号公報
【特許文献２】特開平８−３０６１７０号公報
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、該可変表示部に特定表示結果が導出表示されたときに遊技者にとって有利な特定遊技状態に制御する遊技機であって、
遊技の進行を制御する遊技制御手段と、
前記可変表示部を制御する表示制御手段と、
電力供給が停止しても所定期間は記憶内容を保持することが可能であり、前記遊技制御手段が制御を行う際に発生する変動データを記憶する変動データ記憶手段と、
遊技機で使用される第１電源を監視して該第１電源の電圧が第１検出電圧以下となると検出信号を出力する第１の電源監視手段と、
前記第１電源の電圧よりも低い電圧の第２電源を監視して、該第２電源の電圧が前記第１検出電圧よりも低い第２検出電圧以下になったときに動作停止信号を出力する第２の電源監視手段と、
前記遊技制御手段が信号を出力するための遊技制御用出力ポートと、を備え、
前記遊技制御手段は、
前記可変表示部を制御することを示すコマンドを前記表示制御手段に出力するコマンド出力手段を含み、
前記第１の電源監視手段からの前記検出信号に応じて、前記遊技制御用出力ポートに出力される信号の出力状態をクリアする遊技制御用出力ポートクリア処理と、制御状態を復旧させるためのデータを前記変動データ記憶手段に保存させるための電力供給停止時処理とを実行し、
前記第２の電源監視手段からの前記動作停止信号に応じて動作停止され、
電力供給が開始されたときに、前記変動データ記憶手段に保存されていた記憶内容にもとづいて制御状態を前記電力供給停止時処理を開始する前の状態に復旧させる復旧制御を実行し、
前記コマンド出力手段は、
識別情報の可変表示を開始させるときに、前記可変表示部における識別情報の可変表示パターンを特定するための可変表示パターンコマンド、および前記可変表示部における識別情報の表示結果を特定するための表示結果コマンドを出力し、
識別情報の可変表示を終了させるときに、識別情報の停止を示す停止コマンドを出力し、
前記可変表示パターンコマンドおよび前記表示結果コマンドを出力した後、前記停止コマンドを出力するまでの間には、可変表示のコマンド出力を行わず、
前記表示制御手段は、
前記可変表示パターンコマンドにもとづいて、前記可変表示部における識別情報の可変表示を開始し、
前記停止コマンドにもとづいて、前記表示結果コマンドで特定される識別情報の表示結果を前記可変表示部に停止表示させる
ことを特徴とする遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
そこで、本発明は、遊技制御手段の制御負担を軽くすることができる遊技機を提供することを目的とする。
【手続補正４】
【補正対象書類名】明細書
【補正対象項目名】００１０
【補正方法】変更
【補正の内容】
【００１０】
本発明による遊技機は、各々を識別可能な複数種類の識別情報の可変表示を行い表示結果を導出表示する可変表示部を備え、該可変表示部に特定表示結果が導出表示されたときに遊技者にとって有利な特定遊技状態に制御する遊技機であって、遊技の進行を制御する遊技制御手段と、可変表示部を制御する表示制御手段と、電力供給が停止しても所定期間は記憶内容を保持することが可能であり、遊技制御手段が制御を行う際に発生する変動データを記憶する変動データ記憶手段と、遊技機で使用される第１電源を監視して該第１電源の電圧が第１検出電圧以下となると検出信号を出力する第１の電源監視手段と、第１電源の電圧よりも低い電圧の第２電源を監視して、該第２電源の電圧が第１検出電圧よりも低い第２検出電圧以下になったときに動作停止信号を出力する第２の電源監視手段と、遊技制御手段が信号を出力するための遊技制御用出力ポートと、を備え、遊技制御手段は、可変表示部を制御することを示すコマンドを表示制御手段に出力するコマンド出力手段を含み、第１の電源監視手段からの検出信号に応じて、遊技制御用出力ポートに出力される信号の出力状態をクリアする遊技制御用出力ポートクリア処理と、制御状態を復旧させるためのデータを変動データ記憶手段に保存させるための電力供給停止時処理とを実行し、第２の電源監視手段からの動作停止信号に応じて動作停止され、電力供給が開始されたときに、変動データ記憶手段に保存されていた記憶内容にもとづいて制御状態を電力供給停止時処理を開始する前の状態に復旧させる復旧制御を実行し、コマンド出力手段は、識別情報の可変表示を開始させるときに、可変表示部における識別情報の可変表示パターンを特定するための可変表示パターンコマンド、および可変表示部における識別情報の表示結果を特定するための表示結果コマンドを出力し、識別情報の可変表示を終了させるときに、識別情報の停止を示す停止コマンドを出力し、可変表示パターンコマンドおよび表示結果コマンドを出力した後、停止コマンドを出力するまでの間には、可変表示のコマンド出力を行わず、表示制御手段は、可変表示パターンコマンドにもとづいて、可変表示部における識別情報の可変表示を開始し、停止コマンドにもとづいて、表示結果コマンドで特定される識別情報の表示結果を可変表示部に停止表示させることを特徴とする。
本発明によれば、遊技制御手段の制御負担を軽くすることができる効果がある。
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
サンダルであって、以下：
かかと、足中央部、および足前方部を含む足の底部表面を支持するように構成された、成形ゴムアウトソール；
該アウトソールから延び、該足前方部の少なくとも一部の上部を覆うように構成された爪革であって、該アウトソールと一体となって成形され、そして第１の材料から形成されている、爪革；ならびに、
該第１の材料とは異なる第２の材料から作製される複数のサンダルストラップであって、該サンダルストラップの少なくとも２つは該アウトソールに固定されて該サンダルを該足に保持し、該サンダルストラップのうちの少なくとも１つは該爪革に固定され、該サンダルストラップは開口部によって分離されており、そして該足の上部分上で延びるように位置決めされ、該サンダルストラップ、および該爪革の少なくとも一部が上部を形成し、そして該足の上部分を覆うように位置決めされるサンダルストラップ；および
爪革カバー、を備える、サンダル。
【請求項２】
前記爪革が、前記アウトソールの上面に面し、そして該アウトソールから間隔を置かれる下面を含む、請求項１に記載のサンダル。
【請求項３】
少なくとも１つのサンダルストラップが、前記爪革の下面に固定される、請求項２に記載のサンダル。
【請求項４】
前記アウトソールの上面上に位置決めされ、そして該アウトソールの上面と前記爪革の下面との間に配置される足前方部インソール部分を有するインソールをさらに備える、請求項１に記載のサンダル。
【請求項５】
前記サンダルストラップの少なくとも２つが、前記アウトソールと前記インソールとの間に固定される、請求項４に記載のサンダル。
【請求項６】
前記爪革が、前記足前方部の少なくとも３つの指の長さの少なくとも１／２の上部を覆うように構成される、請求項１に記載のサンダル。
【請求項７】
前記アウトソールに結合されるインソールをさらに備え、該インソールが、前記足をその上に受容する形状のフットベッドを含み、該インソールが、前記サンダルストラップの少なくとも２つを受容するストラップ受容溝を有する、請求項１に記載のサンダル。
【請求項８】
前記サンダルストラップの少なくとも２つが、内側ミッドソールとアウトソールとの間に固定される、請求項７に記載のサンダル。
【請求項９】
前記アウトソールに結合されるインソールをさらに備え、該インソールがフットベッドおよび内側ミッドソールを含み、該フットベッドが前記足の少なくとも一部に一致する輪郭である、請求項１に記載のサンダル。
【請求項１０】
前記内側ミッドソールが、該内側ミッドソールの縁部上に位置する複数のストラップ受容溝を有する、請求項９に記載のサンダル。
【請求項１１】
前記ストラップ受容溝の各々が、対応するストラップの幅に実質的に等しい幅、および対応するストラップの深さに実質的に等しい深さを有する、請求項１０に記載のサンダル。
【請求項１２】
前記爪革が、爪革ライナーを含む、請求項１の記載のサンダル。
【請求項１３】
前記爪革が、前記内側ミッドソールと外側ミッドソールとの間に固定される爪革ライナーを含む、請求項９の記載のサンダル。
【請求項１４】
前記サンダルストラップが、シューレースのための複数の開口部を含む、請求項１に記載のサンダル。
【手続補正書】
【提出日】平成21年11月13日(2009.11.13)
【手続補正１】
【補正対象書類名】明細書
【補正対象項目名】０００１
【補正方法】変更
【補正の内容】
【０００１】
本発明は、新規ポリケチド(polyketide) 類及びそれらを組換え合成により調製するための方法及び手段に関する。異なったポリケチド生合成遺伝子クラスターに由来する、ポリケチド生合成遺伝子類又はそれらの一部は、予測される構造の特定の新規ハイブリッドポリケチドの生成を可能にするために操作され得る。本発明はまた、天然及び非天然のポリケチドの両者のインビボ及びインビトロの両者での高められたレベルの生成を可能にする新規宿主−ベクターシステムにも関する。
【手続補正２】
【補正対象書類名】明細書
【補正対象項目名】００３９
【補正方法】変更
【補正の内容】
【００３９】
プラスミドpNK8の構成
前に決定されたような正しいeryAI開始コドン（Caffrey, P. など．FEBS Letters (1992) 304 : 225-228)の1.4kbp上流からＳ．エリスラエアのeryAI遺伝子内の2.6kbpまで延長する4.0kb の KpnIフラグメントを、プラスミドpBK25 (Bevitt, D. J.など．Eur. J. Biochem. (1992) 204 : 39-49)から切り出し、そしてpUC18 中にクローン化し、プラスミドpBK6.12 を得た。このプラスミドのDNA をPCR 反応のための鋳型として使用し、ユニーク NdeI部位がeryAIの開始コドンで創造され、そしてユニーク SmaI部位がPCR 生成物の他の端で創造されている 360bpの生成物を得た。使用されるオリゴヌクレオチドは、5'-CCC ATA TGG CGG ACC TGT CAA AGC-3'（配列番号12） 及び5'-ATT GCG CGC CCT GGC CCG GGA A-3'（配列番号13）であった。生成物を末端修復し、そして SmaI切断されたpUC18 中に連結し、そしてＥ．コリTG1rec0 を形質転換した。
個々のコロニーをそれらのプラスミド含有についてスクリーンし、そして SmaI部位がポリリンカーの KpnI部位に隣接するような配向で挿入体を担持する１つのプラスミドを選択し、そしてプラスミドpNDE6 と命名した。プラスミドpNDE6 を SmaI及び KpnIにより消化し、そして SmaI及び XpnIによるプラスミドpBK6.12 の消化により得られるeryAI遺伝子の2.3kbpフラグメントにより連結した。連結混合物を用いて、Ｅ．コリTG1rec0 を形質転換し、そして個々のコロニーをそれらのプラスミド含有についてスクリーンした。所望する2.6kbpの NdeI− KpnIフラグメントを含むプラスミドを単離し、そしてプラスミドpNDE7 と命名した。 NdeI− KpnI挿入体をプラスミドpNDE7 から切り出し、そして前もって NdeI及び KpnIにより消化されたプラスミドpT７−18中に連結した。プラスミドpT７−18は、ポリリンカーがpUC18 からポリリンカーにより置換されている、プラスミドpT７−７（Tabor, S. and Richardson, C. C. Proc. Natl. Acad. Sci. USA (1985) 82 : 1074-1078) の誘導体である。連結混合物を用いて、Ｅ．コリTG1rec0 を形質転換し、そして個々のコロニーをそれらのプラスミド含有についてスクリーンし、そして所望する2.6kbpの NdeI− KpnI挿入体を含む１つのプラスミドを選択し、そしてpNK8と命名した。
【手続補正３】
【補正対象書類名】明細書
【補正対象項目名】配列表
【補正方法】変更
【補正の内容】
【配列表】
2009219493000001.app